(57)【要約】    【課題】  基板厚さの異なる２種類以上の光ディスクに対し、機械的な切り替え機構のない簡単な構成で、ディスク基板の厚さの差異による収差の発生を除去し、信号の記録または再生が可能な光ディスク装置およびそれに用いる光ピックアップを提供する    【解決手段】  第１の発光素子から発射したレーザ光束はコリメートレンズで平行光束となり、光束合成分離素子を経て対物レンズでディスク基板の薄い高密度ディスク上に集光される。第２の発光素子から発射したレーザ光束は、光束合成分離素子を経て発散光束として対物レンズに入射し、ディスク基板の厚い従来方式ディスク上に集光されるので、ディスク厚さの違いによる球面収差が補正される。また、ディスク種類判別手段による判別結果に基づいて信号処理回路を切り替える。    【選択図】  図１
2006228428.tif 000002
【特許請求の範囲】
【請求項１】
第１の発光素子と、第２の発光素子と、前記第１および第２の発光素子から発射した光束を光情報記録媒体の信号記録面に集光するための対物レンズと、前記第１および第２の発光素子から発射した２本の光束をそれぞれ前記対物レンズに導く光束合成分離素子とを有する光ピックアップにおいて、前記第１の発光素子から発射して前記対物レンズに入射する光束の発散角または集束角と、前記第２の発光素子から発射して前記対物レンズに入射する光束の発散角または集束角とが、それぞれ互いに異なる所定の値に設定されていることを特徴とする、光ピックアップ。
【請求項２】
第１の発光素子と、第２の発光素子と、前記第１および第２の発光素子から発射した光束を光情報記録媒体の信号記録面に集光するための対物レンズと、前記第１および第２の発光素子から発射した２本の光束をそれぞれ前記対物レンズに導く光束合成分離素子とを有する光ピックアップにおいて、前記第１の発光素子から発射した光束が平行光束として前記対物レンズに入射し、前記第２の発光素子から発射した光束が発散角１度以上３度以下の発散光束として前記対物レンズに入射することを特徴とする、光ピックアップ。
【請求項３】
第１の発光素子と、第２の発光素子と、前記第１および第２の発光素子から発射した光束を光情報記録媒体の信号記録面に集光するための対物レンズと、前記第１および第２の発光素子から発射した２本の光束をそれぞれ前記対物レンズに導く光束合成分離素子とを有する光ピックアップにおいて、前記第１の発光素子から発射した光束が平行光束として前記対物レンズに入射し、前記第２の発光素子から発射した光束が発散角１度以上２度以下の発散光束として前記対物レンズに入射することを特徴とする、光ピックアップ。
【請求項４】
第１の発光素子と、第２の発光素子と、前記第１および第２の発光素子から発射した光束を光情報記録媒体の信号記録面に集光するための対物レンズと、前記第１および第２の発光素子から発射した２本の光束をそれぞれ前記対物レンズに導く光束合成分離素子とを有する光ピックアップにおいて、前記第１の発光素子と前記光束合成分離素子とを結ぶ光路中に前記第１の発光素子から発射した光束を平行光束にするための第１の光学素子を有し、前記第２の発光素子と前記光束合成分離素子とを結ぶ光路中に前記第２の発光素子から発射した光束を所定の発散光束とするための第２の光学素子を有することを特徴とする光ピックアップ。
【請求項５】
前記第１の発光素子の発光波長と前記第２の発光素子の発光波長とが異なっており、前記光束合成分離素子は、入射光束の波長の相違により前記第１の発光素子から発射した光束を透過または反射し、前記第２の発光素子から発射した光束を反射または透過することにより、それぞれ前記対物レンズに導くことを特徴とする、請求項２または請求項３または請求項４に記載の光ピックアップ。
【請求項６】
前記第２の発光素子の発光波長の光束を反射または吸収または散乱する環状の波長フィルタを、前記対物レンズと一体に設けたことを特徴とする、請求項５に記載の光ピックアップ。
【請求項７】
前記第１の発光素子から発射した光束と前記第２の発光素子から発射した光束とが前記光束合成分離素子に入射する際の偏光方向がそれぞれ異なっており、前記光束合成分離素子は、該偏光方向の相違により前記第１の発光素子から発射した光束を透過または反射し、前記第２の発光素子から発射した光束を反射または透過することにより、それぞれ前記対物レンズに導くことを特徴とする、請求項２または請求項３または請求項４に記載の光ピックアップ。
【請求項８】
前記第２の発光素子から発射した光束を反射または吸収または散乱する環状の偏光フィルタを、前記対物レンズと一体に設けたことを特徴とする、請求項７に記載の光ピックアップ。
【請求項９】
前記第２の発光素子と前記光束合成分離素子とを結ぶ光路中に、前記第２の発光素子を発射した光束の径を所定の値に制限するするための制限開口を有することを特徴とする、請求項２または請求項３または請求項４または請求項５または請求項７に記載の光ピックアップ。
【請求項１０】
第１の発光素子と、第２の発光素子と、光束を光情報記録媒体の信号記録面に集光するための対物レンズと、前記第１および第２の発光素子から発射した前記第１および第２の光束をそれぞれ前記対物レンズに導く光束合成分離素子と、該光情報記録媒体による前記第１の光束の反射光を受光する第１の受光素子と、該光情報記録媒体による前記第２の光束の反射光を受光する第２の受光素子と、該光情報記録媒体の種類を判別する媒体判別手段とを有し、
該媒体判別手段による判別結果に基づいて、前記第１の受光素子の検出出力と前記第２の受光素子の検出出力とのいずれかを選択し、所定の信号処理を実行することを特徴とする、光ディスク装置。
【請求項１１】
第１の発光素子と、第２の発光素子と、光束を光情報記録媒体の信号記録面に集光するための対物レンズと、前記第１および第２の発光素子から発射した前記第１および第２の光束をそれぞれ前記対物レンズに導く光束合成分離素子と、該光情報記録媒体による前記第１の光束の反射光を受光する第１の受光素子と、該光情報記録媒体による前記第２の光束の反射光を受光する第２の受光素子と、該光情報記録媒体の種類を判別する媒体判別手段とを有し、
該媒体判別手段による判別結果に基づいて、前記第１の発光素子と前記第２の発光素子とのいずれかを選択して点灯することを特徴とする、光ディスク装置。
【請求項１２】
前記第２の発光素子と前記光束合成分離素子とを結ぶ光路中に前記第２の発光素子から発射した光束を所定の発散光束にするための第２の光学素子を有することを特徴とする、請求項１０または請求項１１に記載の光ディスク装置。
【請求項１３】
第１の発光素子と、第２の発光素子と、前記第１および第２の発光素子から発射した光束を光情報記録媒体の信号記録面に集光するための対物レンズとを有する光ピックアップにおいて、前記第１の発光素子から発射して前記対物レンズに入射する光束の発散角または集束角と、前記第２の発光素子から発射して前記対物レンズに入射する光束の発散角または集束角とが、それぞれ互いに異なる所定の値に設定されていることを特徴とする、光ピックアップ。
【請求項１４】
第１の発光素子と、第２の発光素子と、前記第１および第２の発光素子から発射した光束を光情報記録媒体の信号記録面に集光するための対物レンズと、前記第１および第２の発光素子から発射した２本の光束をそれぞれ前記対物レンズに導く光束合成分離素子とを有する光ピックアップにおいて、前記第１の発光素子と前記光束合成分離素子とを結ぶ光路中に前記第１の発光素子から発射した光束を平行光束にするための光学素子を有することを特徴とする光ピックアップ。
【請求項１５】
前記第２の発光素子の発光波長の光束を反射または吸収または散乱する波長フィルタを、光束合成分離素子、対物レンズ、光情報記録媒体の信号記録面とを結ぶ光路中に設けたことを特徴とする請求項５記載の光ピックアップ。
【請求項１６】
前記第２の発光素子から発射した光束を反射または吸収または散乱する偏光フィルタを、光束合成分離素子、対物レンズ、光情報記録媒体の信号記録面とを結ぶ光路中に設けたことを特徴とする請求項７記載の光ピックアップ。
【請求項１７】
前記第１の発光素子の発光波長と前記第２の発光素子の発光波長とが異なっており、前記光束合成分離素子は、入射光束の波長の相違により前記第１の発光素子から発射した光束を透過または反射し、前記第２の発光素子から発射した光束を反射または透過することにより、それぞれ前記対物レンズに導くことを特徴とする、請求項１０または請求項１１に記載の光ディスク装置。
【請求項１８】
前記媒体判別手段は、少なくとも、光学基板の厚さが０．６ｍｍと、１．２ｍｍの光情報記録媒体を判別し、前記第１の発光素子の発光波長は、６５０ｎｍあるいは６３５ｎｍであり、前記第２の発光素子の発光波長は、７８０ｎｍであることを特徴とする請求項１０または請求項１１に記載の光ディスク装置。
【発明の詳細な説明】
【技術分野】
【０００１】
本発明は、基板厚さの異なる２種類の光ディスクを用いて情報信号の記録または再生を行なう光ディスク装置に関する。
【背景技術】
【０００２】
光ディスク装置は、大容量、高速アクセスを特徴とする情報信号記録再生装置であって、その特徴を生かしてディジタルオーディオ信号の再生装置やコンピュータ用の外部記憶装置として広く利用されてきている。近年、コンピュータ用データの大容量化やディジタル動画情報の記録再生の実用化にともない、光ディスク装置の記録容量の高密度化が必要とされている。  光ディスクの記録面に集光される光スポットの大きさは、レーザ光源の波長と対物レンズの開口数（以下ＮＡとする）とで決まる。ＮＡを大きくすることにより、光スポットの直径を小さくすることにより、記録容量の高密度化を図ることができる。ところが、ＮＡを大きくすると、ディスクの傾きにより発生するコマ収差が大きくなり、ディスクの傾きやディスク厚さ誤差等に対する余裕度がなくなる。  この問題を解決するため、従来の厚さ１．２ｍｍのディスク基板に換えて０．６ｍｍなどの薄いディスク基板を用いることが検討されている。  ここで問題となるのは従来の基板厚さのディスクの薄型のディスクとの互換性である。すなわち、光ディスク装置ではディスク基板を通して記録面にレーザ光束を照射するため、対物レンズはディスク厚さに応じて設計される。設計値と異なる厚さのディスクでは大きな球面収差が発生するので、信号を記録または再生することが全くできなくなる。
【０００３】
これに対して、図９に示す特開平７−１８２６９０号公報に記載の従来技術では、光源である半導体レーザ１と対物レンズ１９とを結ぶ光路中に変換レンズ５２を抜差し自在に備えた構成をとっている。そして、ディスク基板の厚さを検出し、その検出信号を基に変換レンズ５２を抜差しすることにより、ディスク厚さの違いによる収差を抑え、良好な記録または再生信号を得るようにしている。
【特許文献１】特開平７−１８２６９０号公報
【発明の開示】
【発明が解決しようとする課題】
【０００４】
しかしながら、上記のような構成では、変換レンズ５２を抜差しするための機構が必要であるという課題を有していた。さらに、変換レンズ５２が挿入された際の位置精度や傾きが光学性能に直接影響するため、上記抜差しするための機構は高精度のものが要求され、装置が大型で高価なものとなるという課題を有していた。
【０００５】
また、高密度ディスクは記録密度増大のために、従来方式の光ディスクと比較して短波長のレーザ光を用いて再生することが前提となる。例えば従来方式の波長７８０ｎｍに対して高密度ディスクでは６５０ｎｍあるいは６３５ｎｍの波長のレーザが用いられる。上記従来技術の構成では、半導体レーザ１として高密度ディスク用の短波長のレーザを用い、従来方式のディスクを記録または再生する際にも高密度ディスク用の波長を使用することになる。ここで、従来方式の光ディスクのうち反射率等の特性が波長依存性を有するディスクの記録再生が問題となる。  例えば、有機色素の記録膜を用い、１回だけ記録可能で記録後は再生専用装置でも再生可能な方式の、いわゆるライトワンス型の光ディスクが既に実用化されているが、このような方式の記録膜は、反射率が波長によって大きく変化する。したがって、波長７８０ｎｍ用のディスクを６５０ｎｍあるいは６３５ｎｍの波長を用いて再生することはできない。上記従来技術の構成では、高密度ディスク用の波長の光源を用いて従来方式の光ディスクも再生せざるをえないので、従来方式の光ディスクのうちこのような波長依存性を有するディスクを再生することができないという課題がある。
【０００６】
本発明は、上記課題に鑑み、変換レンズなどの抜差し機構を用いることなく、ディスク基板の厚さの差異による収差の発生を除去し、厚さの異なる２種類以上のディスクを記録または再生可能な光ディスク装置およびそれに用いる光ピックアップを提供することを目的とするものである。
【課題を解決するための手段】
【０００７】
上記課題を解決するため、本発明においては波長または偏光方向の互いに異なる２個の発光素子と、対物レンズと、上記２個の発光素子から発射した２本の光束を、波長または偏光方向の違いを利用してそれぞれ対物レンズに導く為の光束合成分離素子とを備えた。そして、上記２個の発光素子から発射した２本の光束がそれぞれ、互いに異なる発散角もしくは収束角を有する発散光束もしくは収束光束として、対物レンズに入射するように、光学系を配置した。ここで、発散光束もしくは収束光束にはその特別な場合として平行光束も含まれる。  好ましくは、上記２本の光束のうち１本が平行光束として対物レンズに入射し、他の１本の光束が発散光束として対物レンズに入射するように、光学系を配置した。もしくは、上記２個の発光素子から発射した２本の光束がそれぞれ発散光束として対物レンズに入射する際の発散角が互いに異なるように、光学系を構成してもよい。
【０００８】
また、上記２個の発光素子から発射した２本の光束のうち少なくとも一方の光路中に、該光束が対物レンズに入射する際の発散角もしくは収束角を所定の角度とする為の、中間レンズを設けた。
【０００９】
さらに、上記２個の発光素子から発射した２本の光束のうち少なくとも一方の光路中に、光束径を制限する為の制限開口を設けた。もしくは、上記２個の発光素子から発射した２本の光束の波長または偏光方向の違いを利用して、一方の光束のみに対して制限開口として作動するような制限開口を、対物レンズと一体的に設けた。
【００１０】
さらに、ディスク種類判別手段を設け、その出力に基づいて、上記２個の発光素子の出力を制御するようにした。また、ディスク種類判別手段の出力に基づいて、所定の信号を対物レンズのアクチュエータに供給し、フォーカスおよびトラッキング制御をおこなうようにした。
【００１１】
上記のように構成された光ピックアップおよび光ディスク装置においては、２個の発光素子から発射した２本の光束が、それぞれ光束合成分離素子を介して対物レンズに導かれる。２本の光束はそれぞれ対物レンズによりディスクの記録面上に光スポットとして集光される。
【００１２】
対物レンズは、２種類のディスクのうち一方の種類のディスク厚さに対して最適に設計されている。例えば、第１の発光素子から発射した光束をコリメートレンズを用いて平行光束に変換した後、光束合成分離素子を介して対物レンズに入射させると、厚さ０．６ｍｍのディスク基板を通してディスクの記録面上に、ほぼ無収差の光スポットが集光される。
【００１３】
このような対物レンズを用いて例えば厚さ１．２ｍｍのディスク基板を通して光スポットを集光すると、ディスク厚さの違いにより大きな球面収差が発生するため、十分な品質の光スポットが得られず、正常な記録または再生ができない。
【００１４】
これに対して、第２の発光素子からの光束を所定の発散角度を有する発散光束として入射させると、ディスク厚さの違いにより発生する球面収差を相殺するような球面収差が発生し、結果として、厚さ１．２ｍｍのディスク基板を通して良好な光スポットを集光することができる。
【００１５】
さらに、第２の発光素子からの光束の光束径を制限する制限開口を設けることにより、厚さ１．２ｍｍのディスクに光スポットを集光する際のＮＡを所定の値とすることができる。また、一方の光束のみに対して制限開口として作動するような制限開口を、対物レンズと一体的に設けることにより、光スポットを集光する際のＮＡを所定の値とするとともに対物レンズの移動に起因する光束のけられを排除することができる。
【００１６】
さらに、ディスク種類判別手段により装置に装着されたディスクの種類を判別し、その判別結果に対応して所定の信号処理を実行する。
【００１７】
また、本発明の構成では２個の発光素子を有するので、第１の発光素子と第２の発光素子にそれぞれ高密度ディスクおよび従来方式ディスクに適した波長を有する素子を用いることができる。例えば、第１の発光素子として波長６５０ｎｍ帯あるいは６３５ｎｍ帯の半導体レーザを用い、第２の発光素子として波長７８０ｎｍ帯の半導体レーザを用いることにより、有機色素を用いたライトワンス型などの波長依存性の顕著な光ディスクに対して、それぞれ適切な波長の光源を用いて記録又は再生することができる。
【発明の効果】
【００１８】
本発明によれば、ディスク基板厚さの異なる２種類の光ディスクに対し、基板厚さの差異によって発生する球面収差を補正し、良好な記録または再生をおこなうことができる。また、ディスク基板厚さに応じてディスク上に集光する光束の径を制限し、ＮＡを所定の値とすることができる。
【００１９】
また、一方の光束のみに対して制限開口として作動するような制限開口を、対物レンズと一体的に設けることにより、光スポットのＮＡを所定の値とするとともに対物レンズの移動に起因する光束のけられを排除することができる。
【００２０】
また、光ディスク装置に装着された光ディスクの種類を判別し、判別結果に応じて光源および信号処理を電気的に切り替えることができる。
【００２１】
さらに、以上の効果をを補正レンズなどの機械的な切替機構を設けることなく実現し、小型で信頼性の高い光ピックアップおよび光ディスク装置を提供することができる。
【００２２】
さらに、２個の発光素子としてそれぞれ高密度ディスクおよび従来方式ディスクに最適な波長を有する素子を用いることにより、有機色素方式などの波長により反射率が大幅に変化するディスクも、何等問題なく記録又は再生することができる。
【発明を実施するための最良の形態】
【００２３】
以下、本発明の第１の実施の形態としての光ピックアップの構成および動作を図１を用いて説明する。
【００２４】
図１は本発明の光ピックアップの構成図である。図１において、光ピックアップの光源である発光素子１および発光素子１１は、例えば半導体レーザ素子である。本実施の形態において、発光素子１および発光素子１１は互いに波長の異なる素子である。以下、発光素子１および発光素子１１の出力光の波長をそれぞれλ１、λ２とする。発光素子１は、２種類のディスクのうちディスク基板厚さの薄い高密度ディスク２０の、また、発光素子１１はディスク基板厚さの厚い従来方式のディスク（図示せず）にの記録または再生に用いる。望ましくは、λ１は高密度ディスクに適した例えば６５０ｎｍあるいは６３５ｎｍなどの短波長とし、λ２は従来方式で用いられている７８０ｎｍなどの波長を用いるとよい。なお、実際のレーザー素子の発光波長は製品バラツキがあり、ここでいう波長値は公称値である。
【００２５】
対物レンズ１９は、平行光束を入射させたときに、高密度ディスク２０の基板２０ａを通して所定の収差量以下の光スポットを集光するように設計されている。
【００２６】
第１の光源である発光素子１から発射した光束２は、第１の光束分離素子３を通過してコリメートレンズ７によって平行光束に変換される。
【００２７】
光束分離素子３は、光束２を通過させて以後の光学系に導くとともに、高密度ディスク２０からの反射光束４を、発光素子１と高密度ディスク２０とを結ぶ光路から分離して光検出器５に導く為の光学素子である。例えば、光束分離素子３として回折格子もしくはホログラムを用いることにより、光束２を０次回折光すなわち直接透過光としてコリメートレンズ７に導くとともに、高密度ディスク２０からの反射光を１次回折光として光検出器５に導く。
【００２８】
光束分離素子３としては、回折格子もしくはホログラムの他に、プリズム、ハーフミラー、導波路などの光学素子を用いて構成することができる。また、発光素子１と光束分離素子３との間に、３スポット法によるトラッキング誤差検出を行う為の回折格子を設置してもよい。また、コリメートレンズ７は、発光素子１と光束分離素子３との間に配置することもできる。さらに、発光素子１と光束分離素子３と光検出器５とは、第１の光学ブロック６として一体的に実装してもよい。これらを一体的に実装することにより、光ピックアップを小型化できる。
【００２９】
コリメートレンズ７を出射した光束８は、光束合成分離素子９を経て平行光束１７として対物レンズ１９に入射し、高密度ディスク２０の基板２０ａを通して記録面２０ｂに光スポットとして集光される。
【００３０】
記録面２０ｂからの反射光は、対物レンズ１９、光束合成分離素子９、コリメートレンズ７、光束分離素子３を経て光束４として光検出器５に入射する。
【００３１】
一方、第２の光源である発光素子１１から発射したレーザ光束１２は、第２の光束分離素子１３を通過して光束合成分離素子９に入射する。
【００３２】
光束合成分離素子９は、プリズムの一種であって、その内部に波長フィルタ１０を有している。波長フィルタ１０は、λ１においては透過膜、λ２においては反射膜として作用する。したがって、光束分離素子１３を通過して光束合成分離素子９に入射した光束は、波長フィルタ１０で反射して発散光束１８として対物レンズ１９に入射し、光スポット２２として集光される。
【００３３】
ここで、前述したように対物レンズ１９は、平行光束１７を例えば０．６ｍｍなどの薄型のディスク基板を通して集光するように設計されている。このような対物レンズに、発散光束１８を所定の発散角で入射させて、例えば１．２ｍｍなどの厚いディスク基板を通して集光する。このような構成により、光スポット２２は収差の少ない良好な光スポットとして基板厚さの厚い従来方式のディスクの記録面上に集光される。なお、光スポット２２により記録または再生されるディスクは、簡単のため図示していない。
【００３４】
光スポット２２のディスクによる反射光束は、対物レンズ１９、光束合成分離素子９、第２の光束分離素子１３を経て光束１４として第２の光検出器１５に入射する。発光素子１１と光束分離素子１３と光検出器１５とは、光学ブロック１６として一体的に実装してもよい。  以下、対物レンズ１９に入射させる発散光束１８の発散角について説明する。ここで発散角とは、発散光束１８の最も外側を通る光線すなわち周縁光線の、光軸に対する角度である。  発明者による設計では、例えば対物レンズ１９として焦点距離３．４ｍｍの非球面レンズを用い、高密度ディスクの基板厚さが０．６ｍｍ、従来方式ディスクの基板厚さが１．２ｍｍとした場合、対物レンズ１９のディスク側におけるＮＡを０．６とした場合は１．８７度、もしくはＮＡを０．４とした場合は１．２９度とすることにより、ディスク厚さの相違による球面収差を効果的に補正できることがわかった。対物レンズ１９の焦点距離または非球面係数などの設計が異なると、最適な発散角が異なるが、１度以上３度以下、望ましくは１度以上２度以下とすることで、球面収差を効果的に補正できる。  本実施の形態によれば、補正レンズの抜き差しあるいは２種類の対物レンズの切り替えなど、機械的な切り替え機構を用いることなく、高密度ディスクと従来方式のディスクの両方を良好な光スポットで記録または再生できる。さらに、高密度ディスクおよび従来方式ディスクをそれぞれ最適な波長の光源を用いて記録または再生することができる。
【００３５】
また、本発明の構成では２個の発光素子を有するので、第１の発光素子と第２の発光素子にそれぞれ高密度ディスクおよび従来方式ディスクに適した波長を有する素子を用いることができる。従って、例えば、第１の発光素子として波長６５０ｎｍ帯あるいは６３５ｎｍ帯の半導体レーザを用い、第２の発光素子として波長７８０ｎｍ帯の半導体レーザを用いることにより、高密度ディスクに対応できると共に、有機色素を用いたライトワンス型などの波長依存性の顕著な光ディスクに対しても、記録又は再生を行うことができる。  次に、本発明の第２の実施の形態としての光ピックアップの構成および動作を図２を用いて説明する。
【００３６】
本実施の形態において、発光素子１および発光素子１１は出力光の偏光方向が互い異なるように設置される。例えぱ、図中に示すように、発光素子１、発光素子１１の出力光の偏光方向をそれぞれ紙面に平行な方向、紙面に垂直な方向とする。発光素子１および発光素子１１の波長は互いに異なる波長を用いてもよく、同一の波長を用いてもよい。
【００３７】
本実施の形態の光束合成分離素子９は、偏光プリズムであって、その内部に偏光膜３０を有している。偏光膜３０は、紙面に平行な偏光においては透過膜、紙面に垂直な偏光においては反射膜として作用する。したがって、第１の実施の形態における波長フィルタ１０と同様に、発光素子１および発光素子１１から発射した光束をそれぞれ対物レンズ１９に導くことができる。その他の構成および動作は第１の実施の形態と同様であるので説明は省略する。
【００３８】
本実施の形態によっても、機械的な切り替え機構を用いることなく、高密度ディスクと従来方式のディスクの両方を良好な光スポットで記録または再生できる。
【００３９】
次に、本発明の第３の実施の形態としての光ピックアップの構成および動作を図３を用いて説明する。
【００４０】
本実施の形態において、制限開口２３が発光素子１１と光束合成分離素子９とを結ぶ光路中に挿入される。制限開口２３は、発光素子１１から発射して対物レンズ１９によってディスク上に集光される従来方式ディスク記録または再生用の光束の、ディスク側におけるＮＡを決定する。その他の構成及び動作は第１の実施の形態と同様である。また、波長フィルタ１０を有する光束合成分離素子９に代えて、第２の実施の形態に示した偏光プリズムを用いてもよい。
【００４１】
一般に、高密度ディスクの再生には、ディスクの基板厚さが薄いので、例えば０．６などの大きなＮＡを用いて、ディスク上における光スポット２１の直径を小さくし高密度化をはかることができる。ところが、従来方式のディスクにおいては、基板厚さが厚いのでＮＡを例えば０．４あるいは０．５などの値にして、ディスク傾きなどによる収差の悪化を防ぐことが望ましい。制限開口２３を、本実施の形態のように発光素子１１と光束合成分離素子９とを結ぶ光路中に挿入することにより、高密度ディスクと従来方式のディスクとをそれぞれ最適なＮＡを用いて記録または再生することができる。
【００４２】
次に、本発明の第４の実施の形態としての光束合成分離素子９および制限開口２３の構成を図４を用いて説明する。
【００４３】
図４（ａ）（ｂ）（ｃ）（ｄ）は、光束合成分離素子９を示す構成図である。光束合成分離素子９と制限開口２３とは、図４（ａ）に示すように一体化することができる。また、（ｂ）に示すように、制限開口２３を設置することに代えて、波長フィルタ１０を光束合成分離素子９を構成するプリズムの一部分にのみ設けても、制限開口と同一の効果が得られ、部品点数を削減できるという利点がある。
【００４４】
さらに、（ｃ）に示すように、プリズム状の光束合成分離素子に代えて平板状の光束合成分離素子９を用いてもよく、プリズム状の素子と比較して安価であるという利点がある。さらに、（ｄ）に示すように平板状の光束合成分離素子９の一部分にのみ波長フィルタ１０を設けることにより、制限開口と同一の効果が得られる。
【００４５】
本実施の形態において、波長フィルタ１０に代えて、第２の実施の形態に示した偏光膜を使用することもできる。さらに、光量の損失が問題とならない場合は、第１、第２、第３の実施の形態および本実施の形態の光束合成分離素子９の波長フィルタもしくは偏光膜に代えて、ハーフミラー膜を使用してもよい。また、光束合成分離素子９は以上に示した形状のものに限らず、第１および第２の発光素子から発射した光束をそれぞれ対物レンズに導く機能を有するものであれば使用することができる。
【００４６】
次に、本発明の第５および第６の実施の形態としての制限開口および対物レンズの構成を図５を用いて説明する。
【００４７】
図５（ａ）は、本発明の第５の実施の形態としての対物レンズ１９と波長選択性制限開口２６とを示した構成図であり、図５（ｂ）は、波長選択性制限開口２６を光軸の方向から見た平面図である。対物レンズ１９と波長選択性制限開口２６とは、支持部材２５を介して連結されている。波長選択性制限開口２６は、（ｂ）に示すように周辺部分に設けられた波長フィルタ２７と中心部分２８とに分かれている。
【００４８】
波長フィルタ２７は、本発明第１の実施の形態における波長λ１の光束を透過し、波長λ２の光束は透過せずに反射もしくは吸収もしくは散乱する。中心部分２８は、両方の波長を透過する。望ましくは、中心部分２８には波長λ１および波長λ２に対する反射防止膜を設けるとよい。本実施の形態では、波長選択性制限開口２６は、波長λ２の光束に対してのみ制限開口として働く。
【００４９】
図５（ｃ）は、本発明の第６の実施の形態としての対物レンズ１９を示した構成図であり、図５（ｄ）は、対物レンズ１９を光軸の方向から見た平面図である。対物レンズ１９には、波長フィルタ２７が設けられている。波長フィルタ２７は、波長λ１の光束を透過し、波長λ２の光束は透過せずに反射もしくは吸収もしくは散乱する。中心部分２８は、両方の波長を透過する。望ましくは、中心部分２８には波長λ１および波長λ２に対する反射防止膜を設けるとよい。波長フィルタ２７は、対物レンズ１９の光源側の面に設けてもよく、ディスク側に設けてもよい。本実施の形態では、対物レンズ１９は波長λ２の光束に対してのみ制限開口として働く。なお、第５および第６の実施の形態において、波長フィルタ２７に代えて偏光フィルタを用い、第２の実施の形態で述べた構成に適用してもよい。第５および第６の実施の形態は、本発明のすべての構成に適用することができる。なお、第５および第６の実施の形態において、制限開口手段を対物レンズと一体としたが、光束合成分離素子、対物レンズ、ディスクを結ぶ光路中に該制限開口手段を設けても良い。
【００５０】
第５および第６の実施の形態によれば、本発明第３の実施の形態と同様に高密度ディスクと従来方式のディスクとをそれぞれ最適なＮＡを用いて記録または再生することができる。さらに、第５および第６の実施の形態によれば、制限開口が対物レンズと一体的に設けられているので、トラッキング動作により対物レンズが移動しても、ディスクからの反射光束が制限開口によって一部欠損する問題が発生しないという効果がある。
【００５１】
次に、図６を用いて、本発明の第７の実施の形態を説明する。
【００５２】
図６は、第７の実施の形態の構成を説明する構成図である。図６において、発光素子１から発射した光束の光路はこれまで説明した実施の形態と同様である。本実施の形態においては、中間レンズ２４が、発光素子１１と光束合成分離素子９とを結ぶ光路中に挿入される。
【００５３】
中間レンズ２４は、発光素子１１から発射した光束１２の発散角を変えて、光束１８として対物レンズ１９に入射させる。本構成の目的は、発光素子１１から発射して対物レンズに入射する光束の、発光素子１１側と対物レンズ１９側の発散状態を異ならしめることにより、対物レンズ１９側の発散状態を収差が最良となるように設計し、発光素子１１側を必要な光利用効率が得られるような設計とすることである。  すなわち対物レンズ１９側の発散角は、第１の実施の形態で説明したように例えば１度以上３度以下、あるいは１度以上２度以下とする。このとき、発光素子１１側の発散角をそれよりも大きな値とすることにより、発光素子１１から発射した光束を有効に利用することができ、さらに発光素子１１から対物レンズ１９までの光路長を短くすることができ、装置を小型化できる。  なお、本実施の形態の目的に合致するものであれば、中間レンズ２４は凸レンズ、凹レンズその他どのようなものでもよい。また、中間レンズ２４は、本発明のいずれの構成にも適用することができる。さらに、中間レンズ２４を光束合成分離素子９もしくは光束分離素子１３もしくは光学ブロック１６などと一体に構成することにより、光ピックアップの小型化、部品点数の削減が可能である。
【００５４】
次に、図７を用いて、本発明の第８の実施の形態を説明する。
【００５５】
図７は、本発明の第８の実施の形態の構成を説明する構成図である。図７において、発光素子１および発光素子１１から発射した光束は、それぞれ発散光束として対物レンズ１９に入射する。本実施の形態の構成においても、光束１７および光束１８によって形成される光スポット２１および２２は、それぞれ高密度ディスクおよび従来方式のディスクの記録又は再生を行うことができる。
【００５６】
次に、図８を用いて本発明の光ディスク装置の実施の形態を説明する。
【００５７】
図８は、本発明の光ディスク装置の構成を示す構成図である。図８において、光ピックアップ３０は、これまでに説明した各実施の形態の光ピックアップを用いることができる。
【００５８】
光ピックアップ３０の発光素子１および発光素子１１は、それぞれレーザ駆動回路３１およびレーザ駆動回路３６によってそれぞれ発光のオンオフ、発光出力の制御などが行われる。光検出器５および１５の出力はそれぞれ電流電圧変換回路３２および３７を経て信号処理回路３３および３８に供給され、フォーカス誤差信号、トラッキング誤差信号、主信号などの信号が生成される。これらの信号は、システム制御回路３４に供給される。
【００５９】
図８において、ディスク種類判別手段３５は光ディスク装置に装着されたディスクの種類を判別し、その結果をシステム制御回路３４に対して出力する。ディスク種類判別手段３５としては、ディスクの基板厚さを光学的もしくは機械的な方法で検出する方法、ディスクまたはディスクのカートリッジにあらかじめ記録された識別マークを検出する方法などが考えられる。もしくは、ディスクの種類を仮定してディスクの信号を再生し、正常な信号が得られなければ別の種類のディスクであると判断する方法でもよい。
【００６０】
システム制御回路３４は、ディスク種類判別手段３５から受け取った判別結果に基づいて発光素子１または発光素子１１を点灯し、装着されたディスクの記録又は再生に適したほうの光スポットを形成させる。それとともに、信号処理回路３３または信号処理回路３８のうち適したほうの出力を選択して、フォーカス誤差信号とトラッキング誤差信号とをそれぞれフォーカスアクチュエータ駆動回路３９とトラッキングアクチュエータ駆動回路４０とに供給する。フォーカスアクチュエータ駆動回路３９およびトラッキングアクチュエータ駆動回路４０の出力はそれぞれ光ピックアップ３０内の対物レンズアクチュエータのフォーカスコイル４１およびトラッキングコイル４２に供給され、フォーカスおよびトラッキングサーボ動作が行なわれ、ディスク２０の記録または再生が実行される。
【００６１】
本実施の形態によれば、本発明の光ピックアップを用いて、光ディスク装置に装着された光ディスクの種類に適した発光素子および光検出器および信号処理回路を選択して、補正レンズなどの機械的な切り替えを行うことなく少なくとも２種類の光ディスクの記録または再生を行うことができる。機械的な切り替えを行わないことで、小型で信頼性が高く、簡単な構成の光ディスク装置が実現できる。
【図面の簡単な説明】
【００６２】
【図１】本発明の第１の実施の形態としての光ピックアップの構成図である。
【図２】本発明の第２の実施の形態としての光ピックアップの構成図である。
【図３】本発明の第３の実施の形態としての光ピックアップの構成図である。
【図４】本発明の第４の実施の形態としての光束合成分離素子の構成をを示す構成図である。
【図５】本発明の第５および第６の実施の形態としての対物レンズと制限開口とを示した構成図および平面図である。
【図６】本発明の第７の実施の形態の構成を説明する構成図である。
【図７】本発明の第８の実施の形態の構成を説明する構成図である。
【図８】本発明の光ディスク装置の実施の形態を示す構成図である。
【図９】従来技術の構成を示す構成図である。
【符号の説明】
【００６３】
１…発光素子、５…光検出器、６…光学ブロック、７…コリメートレンズ、９…光束合成分離素子、１１…発光素子、１５…光検出器、１６…光学ブロック、１９…対物レンズ、２３…制限開口、２４…中間レンズ、２６…波長選択性制限開口、２７…波長フィルタ、３０…光ピックアップ、３５…ディスク種類判別手段
【図１】
2006228428.tif 000003
【図２】
2006228428.tif 000004
【図３】
2006228428.tif 000005
【図４】
2006228428.tif 000006
【図５】
2006228428.tif 000007
【図６】
2006228428.tif 000008
【図７】
2006228428.tif 000009
【図８】
2006228428.tif 000010
【図９】
2006228428.tif 000011
【手続補正書】
【提出日】平成18年5月11日(2006.5.11)
【手続補正２】
【補正対象書類名】特許請求の範囲
【補正対象項目名】全文
【補正方法】変更
【補正の内容】
【特許請求の範囲】
【請求項１】
平行光束として入射した第１の波長を有する第１の光束をディスク基板厚さの薄い第１のディスクの記録面上に集光させ、発散光束として入射した前記第１の波長より長い第２の波長を有する第２の光束を第１のディスクよりディスク基板厚さの厚い第２のディスクの記録面上に集光させる対物レンズであって、中心部分では前記第１の光束と前記第２の光束を透過させ、周辺部分では前記第１の光束を透過させ前記第２の光束を反射若しくは吸収若しくは散乱させる制限開口手段が、一体に設けられていることを特徴とする対物レンズ。
【請求項２】
前記制限開口手段は前記対物レンズの面上に設けられたことを特徴とする請求項１記載の対物レンズ。
【請求項３】
前記制限開口手段の前記中心部分に対応する前記対物レンズの面上には、前記第１の波長及び前記第２の波長に対する反射防止膜が設けられたことを特徴とする請求項１記載の対物レンズ。
【請求項４】
前記第２の光束は発散角が１度以上３度以下で入射し、前記第２のディスクの記録面上に集光させることを特徴とする請求項１記載の対物レンズ。
【請求項５】
第１の波長を有する第１の光束をディスク基板厚さの薄い第１のディスクの記録面上に集光させ、前記第１の波長より長い第２の波長を有する第２の光束を第１のディスクよりディスク基板厚さの厚い第２のディスクの記録面上に集光させる対物レンズであって、前記対物レンズのレンズ面上には、中心部分では前記第１の光束と前記第２の光束を透過させ、周辺部分では前記第１の光束を透過させ前記第２の光束を反射若しくは吸収若しくは散乱させる制限開口手段が、一体に設けられていることを特徴とする対物レンズ。
【請求項６】
前記制限開口手段の前記中心部分に対応する前記対物レンズの面上には、前記第１の波長及び前記第２の波長に対する反射防止膜が設けられたことを特徴とする請求項５記載の対物レンズ。
【手続補正３】
【補正対象書類名】明細書
【補正対象項目名】０００６
【補正方法】変更
【補正の内容】
【０００６】
本発明は、上記課題に鑑み、２種類以上のディスクを記録または再生可能な対物レンズを提供することを目的とするものである。
【手続補正４】
【補正対象書類名】明細書
【補正対象項目名】０００７
【補正方法】変更
【補正の内容】
【０００７】
上記目的は、その一例として特許請求の範囲の構成により解決できる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
本発明によれば、２種類以上のディスクを記録または再生可能な対物レンズを提供することができる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】